(57)【要約】【課題】  簡単な構造で且つ特段の操作を必要となすることなく、折戸本体の逆折れを有効に防止することができる折戸を提供することを課題とする。【解決手段】  枠体２に開閉自在に取り付けた折戸本体３の折込み連結部３５にラッチ機構４４を組み込むと共に、枠体２の下枠７を室内Ａ側の床面および室外Ｂ側の床面に対しほぼ段差無く配設した折戸１Ａにおいて、ラッチ機構４４は、押えばね６３により下方に付勢されて枠体２の下枠７に形成したレール１６に室内Ａ側から係脱するラッチ突起６９と、ラッチ突起６９とレール１６の厚み分の間隙を存して一体に形成され、レール１６に室内Ａ側から当接して折戸本体３の逆折れを阻止する当接突起７０とを、有している。【選択図】  図４
2006177155.tif 000002
【特許請求の範囲】
【請求項１】
枠体に開閉自在に取り付けた折戸本体の折込み連結部にラッチ機構を組み込むと共に、前記枠体の下枠を室内側の床面および室外側の床面に対しほぼ段差無く配設した折戸において、
前記ラッチ機構は、押えばねにより下方に付勢されて前記枠体の下枠に形成したレールに室内側から係脱するラッチ突起と、
前記ラッチ突起と前記レールの厚み分の間隙を存して一体に形成され、前記レールに室内側から当接して前記折戸本体の逆折れを阻止する当接突起とを、有することを特徴とする折戸。
【請求項２】
枠体と、前記枠体に開閉自在に取り付けた折戸本体と、前記折戸本体の折込み連結部に組み込まれ前記折戸本体の室外側への逆折れを阻止する逆折れ阻止機構とを備えると共に、前記枠体の下枠が室内側の床面および室外側の床面に対しほぼ段差無く配設された折戸において、
前記折戸本体は、前記枠体に形成したレールに案内され且つ前記枠体に対し回動自在なグラビティヒンジを介して開閉され、
前記逆折れ阻止機構は、前記折込み連結部を構成する一方の連結縦框の下小口部に装着され、且つ前記折戸本体が閉塞した状態で前記レールに室内側から当接し前記折戸本体の逆折れを阻止する当接突起と、前記当接突起が下方に向かって出没するように前記当接突起をスライド自在に収容するホルダと、前記ホルダに収容され前記当接突起を下方に付勢する押えばねと、を有していることを特徴とする折戸。
【発明の詳細な説明】
【技術分野】
【０００１】
本発明は、バリアフリーを考慮して、例えば室内側の床面および室外側の床面に対しほぼ段差無く配設した折戸に関する。
【背景技術】
【０００２】
従来、この種の折戸として、例えば浴室の折戸に適用した特開平１０−２３８１９６号公報に記載のものが知られている。バリアフリーを考慮したこの折戸では、浴室側の天井面および脱衣室側の天井面に対して上枠が、段差を有して配設されているが、浴室側の床面および脱衣室側の床面に対し下枠は、ほぼ段差無く配設されている。
【特許文献１】特開平１０−２３８１９６号公報
【発明の開示】
【発明が解決しようとする課題】
【０００３】
このような従来の折戸では、下枠廻りが段差の無い構造であるため、下枠に、折戸本体が当接する戸当たり部が存在しないことになる。このため、折戸本体を閉塞しそのラッチがレールに係止された状態から、さらに脱衣室側に、すなわち逆折れ方向に力が加わると、折戸本体の上部は上枠が受けとなって逆折れが阻止されるが、下部はそのまま折れ曲がり、特に連結部分のヒンジ機構が損傷するおそれがある。同様に、複数枚の折戸を重ねた状態で運搬あるいは保管する場合に、折戸の荷重により下部の折戸が逆折れ状態となり、ヒンジ機構が損傷するおそれがあった。
もっとも、多くの折戸では、折戸本体を室内側（浴室側）からロックするロック機構が組み込まれており、このロック機構をロック操作とすれば、上記の逆折れを防止することができる。しかし、逆折れ防止のためにユーザや作業者にロック操作を強いることは、操作忘れの問題もあり現実的ではない。
【０００４】
本発明は、簡単な構造で且つ特段の操作を必要となすることなく、折戸本体の逆折れを有効に防止することができる折戸を提供することを課題とする。
【課題を解決するための手段】
【０００５】
本発明の折戸は、枠体に開閉自在に取り付けた折戸本体の折込み連結部にラッチ機構を組み込むと共に、枠体の下枠を室内側の床面および室外側の床面に対しほぼ段差無く配設した折戸において、ラッチ機構は、押えばねにより下方に付勢されて枠体の下枠に形成したレールに室内側から係脱するラッチ突起と、ラッチ突起とレールの厚み分の間隙を存して一体に形成され、レールに室内側から当接して折戸本体の逆折れを阻止する当接突起とを、有することを特徴とする。
【０００６】
この構成によれば、下枠のレールに係脱する折戸本体のラッチ機構に、ラッチ突起に対峙させて当接突起を設けるようにしているため、ラッチ機構を利用して、折戸本体の逆折れ阻止機構を、極めて簡単に且つ低コストで構成することができる。
また、ラッチ突起と共に当接突起は、押えばねにより下方に付勢されているため、折戸本体に予想を越える逆折れ力が加わったときに、押えばねがこの逆折れ力を吸収するように機能する。このため、大きな逆折れ力に対し、折戸本体の破損を有効に防止することができる。
【０００７】
本発明の他の折戸は、枠体と、枠体に開閉自在に取り付けた折戸本体と、折戸本体の折込み連結部に組み込まれ折戸本体の室外側への逆折れを阻止する逆折れ阻止機構とを備えると共に、枠体の下枠が室内側の床面および室外側の床面に対しほぼ段差無く配設された折戸において、折戸本体は、枠体に形成したレールに案内され且つ枠体に対し回動自在なグラビティヒンジを介して開閉され、逆折れ阻止機構は、折込み連結部を構成する一方の連結縦框の下小口部に装着され、且つ折戸本体が閉塞した状態でレールに室内側から当接し折戸本体の逆折れを阻止する当接突起と、当接突起が下方に向かって出没するように当接突起をスライド自在に収容するホルダと、ホルダに収容され当接突起を下方に付勢する押えばねと、を有していることを特徴とする。
【０００８】
この構成によれば、折戸本体が閉塞した状態では、逆折れ阻止機構の当接突起が枠体のレールに室内側から当接していて、折戸本体の逆折れが阻止される。一方、折戸本体は、枠体のレールに案内されてスライドし且つグラビティヒンジを介して回動しながら開閉されるため、折戸本体は、開放動作でわずかに上動し、閉塞動作でわずかに下動する。したがって、当接突起がレールに当接した閉塞状態から、折戸本体を開放してゆくと、折戸本体（折込み連結部）と共に当接突起も上動して、室内側の床面を傷つけることが無い。
また、当接突起は、押えばねにより下方に付勢されているため、折戸本体に予想を越える逆折れ力が加わったときに、押えばねがこの逆折れ力を吸収するように機能する。このため、大きな逆折れ力に対し、折戸本体の破損を有効に防止することができる。
【発明の効果】
【０００９】
以上のように本発明の折戸によれば、ラッチ機構を有効活用することができ、折戸本体に求められる逆折れ阻止機構を、極めて簡単に且つ低コストで構成することができる。
【００１０】
また、本発明の他の折戸によれば、グラビティヒンジを有効活用することができ、折戸本体に求められる逆折れ阻止機構を、極めて簡単に且つ低コストで構成することができる。
【発明を実施するための最良の形態】
【００１１】
以下、添付図面を参照して、本発明の一実施形態に係る折戸を浴室用の折戸に適用した場合について説明する。この折戸が設けられた浴室は、脱衣室との間に段差を無くしたバリアフリー設計のユニットバスで構成されており、折戸の下枠も、浴室床および脱衣室床とほぼ段差の無い構造となっている。図１の姿図、図２の縦断面図および図３の横断面図に示すように、折戸１Ａは、枠体２に戸先側扉体３ａおよび戸尻側扉体３ｂから成る折戸本体３を開閉自在に組み込んで構成され、戸先側扉体３ａと戸尻側扉体３ｂとは、突き合わせた状態で、連結部材４を介して浴室Ａ側に中折れ自在に連結されている。
【００１２】
枠体２は、アルミニウムの形材などで構成された上枠６、下枠７および両縦枠８，８を枠組みして、構成されている。上枠６は、略「Ｌ」字状に形成された上枠本体１０と、上枠本体１０の浴室Ａ側に垂設した上ガイドレール１１と、上枠本体１０の脱衣室Ｂ側に垂設した上枠シール取付片１２とで、一体に形成されている。また、上枠シール取付片１２には、折戸本体３に向かって延びる上シール部材１３が取り付けられている。
【００１３】
同様に、下枠７は、中空部を有する下枠本体１５と、下枠本体１５の浴室Ａ側に立設した下ガイドレール１６と、下枠本体１５の脱衣室Ｂ側に設けた下シール取付部１７とで、一体に形成されている。下シール取付部１７には、折戸本体３に向かって延びる浴室Ａ側の第１下シール部材１８および脱衣室Ｂ側の第２下シール部材１９が取り付けられている。この場合、下枠７は、その下枠本体１５で浴室Ａの防水パンＰに形成した段状縁部Ｐａに載置されるように配設されている。
【００１４】
左右の各縦枠８は、浴室Ａ側が額縁状に折り曲げられていて全体として略「Ｌ」字状に形成された縦枠本体２１と、縦枠本体２１の浴室Ａ側に設けた縦枠シール取付部２２と、縦枠本体２１の脱衣室Ｂ側に突設した縦枠シール取付片２３とで、一体に形成されている。縦枠シール取付部２２には、折戸本体３の浴室側部分に向かって延びる縦シール部材２４が取り付けられ、縦枠シール取付片２３には、両外端にそれぞれシール片を固着したシールアタッチメント２５が掛け止めされている。そして、これら上シール部材１３、第１・第２両下シール部材１８，１９、縦シール部材２４およびシールアタッチメント２５により、折戸本体３と枠体２との間が四周に亘ってシールされている。
【００１５】
戸先側扉体３ａおよび戸尻側扉体３ｂは、いずれもアルミニウムの形材で構成された上框３１、下框３２および中桟３３に、縦框３４および連結縦框３５を框組みすると共に、これに樹脂製の上下のパネル体３６，３６を嵌め込んで構成されている。各扉体３ａ，３ｂの下框３２には、その下端部の浴室Ａ側に浴室側シール片３８が、また左右の両扉体３ａ，３ｂの連結部分（折込み連結部）には、浴室側シール片３８と両外端部が重なるように２枚の部分シール片３９が取り付けられている（詳細は後述する）。
【００１６】
中桟３３には、脱衣室Ｂ側に引手部４１が一体に形成され、浴室Ａ側に引手を兼ねるタオル掛け４２が取り付けられている。各扉体３ａ，３ｂの下框３２には、室内外を連通する開閉機構付きの換気ガラリ４３が形成されている。また、戸先側扉体３ａの連結縦框３５の上端部にはラッチ機構４７が、さらに戸先側および戸尻側両扉体３ａ，３ｂの連結縦框３５，３５には、両連結縦框３５，３５の下端部間に跨ってラッチ機構を兼ねる逆折れ阻止機構４４が組み込まれている（図１参照）。さらに、戸尻側扉体３ｂの連結縦框３５の上端部には、閉塞ロック機構４５が組み込まれ、また各扉体３ａ，３ｂの縦框（戸先縦框および戸尻縦框）３４，３４の上端部には、後述する上スライダ４９ａを上ガイドレール１１から離脱させる離脱機構４６が、それぞれ組み込まれている。
【００１７】
戸先側および戸尻側の各扉体３ａ，３ｂの縦框３４には、上下のピンヒンジ（グラビティヒンジ）４８，４８を介して上スライダ４９ａおよび下スライダ４９ｂがそれぞれ取り付けられ、各扉体３ａ，３ｂはこの上スライダ４９ａおよび下スライダ４９ｂにより、上ガイドレール１１および下ガイドレール１６に、それぞれスライド自在に支持されている。ただし、戸尻側扉体３ｂの上下両スライダ４９ａ，４９ｂは、上下両ガイドレール１１，１６に固定されている。なお、ピンヒンジをグラビティヒンジで構成しているため、各扉体３ａ，３ｂは開放動作に伴ってわずかに上動し、閉塞動作に伴ってわずかに下動する。
【００１８】
次に、図４を参照して、戸先側および戸尻側両扉体３ａ，３ｂの連結縦框３５，３５間に組み込んだ逆折れ阻止機構４４について説明する。この逆折れ阻止機構４４は、戸先側扉体３ａの連結縦框３５の下端部に組み込んだ逆折れ阻止部材５１と、逆折れ阻止部材５１の浴室側見付け面に固定した可動カム部材５２と、戸尻側扉体３ｂの連結縦框３５の下端部に固定した固定カム部材５３とで構成されている。可動カム部材５２と固定カム部材５３とは、両連結縦框３５，３５の浴室Ａ側に左右に並ぶように配設されている。なお、逆折れ阻止部材５１が実質的にラッチ機構を兼ねている。
【００１９】
固定カム部材５３は、連結縦框３５の下端部に嵌入する嵌入固定部５５と、嵌入固定部５５の浴室Ａ側に突設され連結縦框３５の浴室側見付け面に露出する固定カムプレート５６と、固定カムプレート５６の下端に縦断するように垂設した部分シール片３９とで構成されている。嵌入固定部５５は、連結縦框３５の中間に位置する方形中空部３５ａの下小口に嵌入し、この状態で連結縦框３５に浴室Ａ側からねじ止めされている。固定カムプレート５６は、略方形の正面形状を有すると共に、可動カム部材５２側の下部に下向きカム斜面（ほぼ角度４５°）５７が形成されている。
【００２０】
逆折れ阻止部材５１は、連結縦框３５に固定される固定ブロック５９と、固定ブロック５９に上下方向スライド自在（上下動自在）に係合するホルダ６０と、ホルダ６０の上部に収容され固定ブロック５９を受けとしてホルダ６０を上方に付勢する上動ばね６１と、ホルダ６０の下部に出没自在に収容されたラッチ状部材（当接部材）６２と、ホルダ６０を受けとしてラッチ状部材６２を下方に付勢するラッチばね６３とで構成されている。そして、ホルダ６０の浴室Ａ側下部に可動カム部材５２が固定されている。
【００２１】
ホルダ６０は、連結縦框３５の中間に位置する方形中空部３５ａの下小口に遊嵌し、その上下中間部内側で固定ブロック５９にスライド自在に支持されている。固定ブロック５９は、浴室Ａ側の一部がホルダ６０から突出しており、この部分で連結縦框３５に浴室Ａ側からねじ止めされている。上動ばね６１は、固定ブロック５９の上端に形成した突起６５と、ホルダ６０の天板の下面に形成した突起６６との間に介在させたコイルばねで構成されており、ラッチ状部材６２や可動カム部材５２を搭載したホルダ６０を上方に付勢している。
【００２２】
ラッチ状部材６２は、ホルダ６０の下端部内側に案内されてわずかに上下動自在（スライド自在）に構成されており、部材本体６７と部材本体６７から上側に幾分屈曲して延びる軸部６８と、部材本体６７の下端部に下向きに突設したラッチ突起６９および当接突起７０とで、一体に形成されている。ラッチばね６３は、ラッチ状部材６２の軸部６８に巻回するように装着され、ホルダ６０の中間部を受けとしてラッチ状部材６２を下方に押圧付勢している。
【００２３】
ラッチ突起６９と当接突起７０は、ほぼ下ガイドレール１６の厚み分の間隙を存して平行に対峙しており、ラッチ突起６９は脱衣室Ｂ側に位置し、当接突起７０は浴室Ａ側に位置している。ラッチ突起６９は、浴室Ａ側および脱衣室Ｂ側にそれぞれ傾斜面を有して逆山形（山形）断面に形成されており、下ガイドレール１６に対し浴室Ａ側から係脱し、折戸本体３を閉塞状態に保持する。当接突起７０は、断面凸状に形成されており、ラッチ突起６９が下ガイドレール１６に係止した状態で、下ガイドレール１６に浴室Ａ側から当設して、折戸本体３の脱衣室Ｂ側への逆折れを阻止する。
【００２４】
一方、ラッチ状部材６２を搭載したホルダ６０は、上動ばね６１に付勢された状態で固定ブロック５９に案内され、上動位置と下動位置との間で上下方向にスライドするようになっている。この場合、下動位置では、ラッチ突起６９および当接突起７０が下ガイドレール１６に上側から臨み、上動位置では、ラッチ突起６９および当接突起７０が下ガイドレール１６から上側に退避する。すなわち、下動位置でのみ、ラッチ突起６９が下ガイドレール１６に係脱可能となり、且つ当接突起７０が下ガイドレール１６に逆折れを阻止するように当接する。
【００２５】
可動カム部材５２は、逆折れ阻止部材（ホルダ６０）５１の浴室側下部に突設され連結縦框３５の浴室側見付け面に露出する可動カムプレート７２と、可動カムプレート７２の下端に縦断するように垂設した部分シール片３９とで構成されている。可動カムプレート７２は、略方形の正面形状を有すると共に、固定カム部材５３側の下部に上向きカム斜面（ほぼ角度４５°）７３が形成されている。なお、固定カム部材５３の部分シール片３９と可動カム部材５２の部分シール片３９は、折戸本体３が閉塞したときに一部が重なるように配設され、上記の浴室側シール片３８と共に下枠７と下框３２との間をシールする。
【００２６】
ところで、固定カム部材５３と可動カム部材５２とは浴室Ａ側に突出しており（図２参照）、折戸本体３が折り込まれる（開放）ことで離間し、直線状に展開する（閉塞）ことで接触する。すなわち、固定カム部材５３の下向きカム斜面５７と、可動カム部材５２の上向きカム斜面７３とは、折戸本体３の開放動作では徐々に離れてゆき、閉塞動作では徐々に接近してゆく。
【００２７】
より具体的には、可動カム部材５２は、ホルダ６０を介して上下方向にスライド自在に構成され且つ上動ばね６１により上方に付勢されており、折戸本体３の初期開放動作では、離れてゆく両カム斜面５７，７３のカム作用と上動ばね６１のばね力とにより、固定カム部材５３に対し可動カム部材５２が上動位置に移動する。逆に、折戸本体３の終期閉塞動作では、近づいてゆく両カム斜面５７，７３のカム作用により、上動ばね６１のばね力に抗して、固定カム部材５３に対し可動カム部材５２が下動位置に移動する。
【００２８】
すなわち、折戸本体３の初期開放動作で、ラッチ突起６９および当接突起７０が可動カム部材５２を介して下ガイドレール１６から退避し、終期閉塞動作で、ラッチ突起６９および当接突起７０が可動カム部材５２を介して下ガイドレール１６に臨む。したがって、ラッチ突起６９および当接突起７０は、折戸本体３が閉塞或いはこれに近い状態で、それぞれ係止機能および逆折れ阻止機能を奏することになる。
【００２９】
このような構成では、折戸本体３を完全に閉塞した状態では、ラッチ突起６９および当接突起７０が下動位置にあり、ラッチ突起６９は下ガイドレール１６に係止して折戸本体３を閉塞姿勢に保持し、当接突起７０は下ガイドレール１６に当接して折戸本体３の脱衣室Ｂ側への逆折れを阻止する。このため、折戸本体３の下部に浴室Ａ側から強い力が加わっても、折戸本体３は脱衣室Ｂ側に折り曲げられることがなく、連結部材４などの損傷を防止することができる。このことはまた、複数の折戸１Ａを段積み状態で運搬する場合や保管する場合でも、まったく同様に、逆折れに基づく折戸本体３の損傷を防止することができる。
【００３０】
一方、折戸本体３の開放を開始すると、ラッチ突起６９および当接突起７０が上動位置に移動する。このため、段差無く構成した浴室Ａの床面（防水パンＰ）に対し、ラッチ突起６９および当接突起７０が擦れることがなく、床面を傷つけるのを有効に防止することができる。なお、ラッチ機構を兼ねる実施形態の逆折れ阻止機構４４は、ラッチ機構のラッチ本体に当接突起７０を形成したものと考えることもできる。
【００３１】
ところで、上述のように本実施形態では、グラビティヒンジを用いているため、各扉体３ａ，３ｂは開放動作に伴って上動し、閉塞動作に伴って下動する。したがって、ラッチ機構とは別に、上記の当接突起７０のみを有する逆折れ阻止部材５１（カム部材５２，５３の無い構成）により、逆折れ阻止機構４４を構成するようにしてもよい。すなわち、当接突起７０を各扉体３ａ，３ｂと共に上下動させ、下ガイドレール１６への当接（逆折れ阻止）と、床面（防水パンＰ）の損傷防止とを可能にする。
【００３２】
次に、図５および図６を参照して、第２実施形態について説明する。なお、以下の説明では、第１実施形態と異なる部分のみ説明する。この実施形態の折戸は上吊り形式の吊り折戸１Ｂであり、折戸本体３は、枠体２の上枠６に吊った状態で開閉される。この場合、上枠６には、上ガイドレール１１に代えてラッチ係止片８１が形成され、且つ浴室Ａ側に断面「Ｃ」字状の吊り車ガイド８２が、一体に形成されている。また、下枠７には、上部を脱衣室Ｂ側にほぼ直角に屈曲させた下ガイドレール８３が形成されている。
【００３３】
また、各扉体３ａ，３ｂの縦框３４に組み込んだ上スライダ４９ａに代えて吊り部材８４が設けられており、吊り部材８４の上部には、吊り車ガイド８２に転動自在に係止した吊り車８５が回転自在に取り付けられ、下部には、ヒンジピン８６が取り付けられている。同様に、各扉体３ａ，３ｂの縦框３４に組み込んだ下スライダ８７は、その下端部で脱衣室Ｂ側から下ガイドレール８３にスライド自在に係止されている。そして、この吊り折戸１Ｂでは、ラッチ機構８８が戸先側扉体３ａの連結縦框３５の上端部に組み込まれており、上記のラッチ係止片８１に係脱するようになっている。
【００３４】
図７は、この吊り折戸１Ｂに組み込んだ、逆折れ阻止機構４４である。上述したように第２実施形態では、連結縦框３５の上端部にのみラッチ機構８８が組み込まれており、第２実施形態の逆折れ阻止機構４４は、第１実施形態の逆折れ阻止機構４４のようにラッチ機構を兼ねるものではない。より具体的には、第２実施形態の逆折れ阻止機構４４には、ラッチ状部材６２にラッチ突起６９が形成されていない。ただし、他の部分は第１実施形態の逆折れ阻止機構と、ほぼ同一の構造を有している。したがって、この逆折れ阻止機構の説明は、第１実施形態に委ねることとする。
【００３５】
以上のように、第２実施形態によれば、第１実施形態と同様に、折戸本体３を完全に閉塞した状態では、当接突起７０が下動位置にあり、当接突起７０は下ガイドレール８３に当接して折戸本体３の脱衣室Ｂ側への逆折れを阻止する。このため、折戸本体３の下部に浴室Ａ側から強い力が加わっても、折戸本体３は脱衣室Ｂ側に折り曲げられることがなく、連結部材４などの損傷を防止することができる。このことはまた、複数の吊り折戸１Ｂを段積み状態で運搬する場合や保管する場合でも、まったく同様に、逆折れに基づく折戸本体３の損傷を防止することができる。
【００３６】
一方、折戸本体３の開放を開始すると、当接突起７０が上動位置に移動する。このため、段差無く構成した浴室Ａの床面（防水パンＰ）に対し、当接突起７０が擦れることがなく、床面を傷つけるのを有効に防止することができる。なお、第１・第２実施形態におけるラッチばね６３は、当接突起７０に浴室Ａ側から過大な力が加わったときに、これを吸収する機能を持つ。したがって、ラッチ突起６９の無い第２実施形態の逆折れ阻止機構４４にあっても、ラッチばね６３は有効に機能する。
【００３７】
なお、本実施形態では、浴室用の折戸について説明したが、シャワー室の折戸などのバリアフリー設計（段差なし）の折戸にも適用できることは、いうまでもない。また、本実施形態では、逆折れ阻止部材が折戸本体に対し上下する構造としたが、逆折れ阻止部材が折戸本体と共に上下する構造としてもよい（例えば、上記の特開平１０−２３８１９６号公報参照）。
【図面の簡単な説明】
【００３８】
【図１】本発明の一実施形態に逆折れ阻止機構を組み込んだ折戸の浴室側から見た姿図である。
【図２】第１実施形態に係る折戸の拡大縦断面図である。
【図３】第１実施形態に係る折戸の拡大横断面図である。
【図４】第１実施形態に係る逆折れ阻止機構の構造図である。
【図５】第２実施形態に係る吊り折戸の拡大縦断面図である。
【図６】第２実施形態に係る折戸の拡大横断面図である。
【図７】第２実施形態に係る逆折れ阻止機構の構造図である。
【符号の説明】
【００３９】
１Ａ  折戸、１Ｂ  吊り折戸、２  枠体、３  扉体、３ａ  戸先側扉体、３ｂ  戸尻側扉体、４  連結部材、７  下枠、１６  下ガイドレール、３２  下框、３４  縦框、３５  連結縦框、３９  部分シール片、４４  逆折れ阻止機構、５１  逆折れ阻止部材、５２  可動カム部材、５３  固定カム部材、５７  下向きカム斜面、６０  ホルダ、６１  上動ばね、６２  ラッチ状部材、６３  ラッチばね、６９  ラッチ突起、７０  当接突起、７３  上向きカム斜面、Ａ  浴室、Ｂ  脱衣室。
【図１】
2006177155.tif 000003
【図２】
2006177155.tif 000004
【図３】
2006177155.tif 000005
【図４】
2006177155.tif 000006
【図５】
2006177155.tif 000007
【図６】
2006177155.tif 000008
【図７】
2006177155.tif 000009